【事件の表示】
　平成６年特許願第１７３７７号「自動販売機の固定装置」拒絶査定に対する審判事件［平成７年８月２２日出願公開、特開平７−２２５８６８号］について、次のとおり審決する。
【結　論】
　本件審判の請求は、成り立たない。
【理　由】
１．手続の経緯・本願発明
　本願は、平成６年２月１４日の出願であって、その請求項１及び２に係る発明は、平成１１年１０月２２日付けの手続補正書により補正された明細書及び図面の記載からみて、その特許請求の範囲の請求項１及び２に記載されたとおりのものと認められるところ、請求項１には以下のように記載されている。
「自動販売機に取り付けられる固定金具をアンカーにて前記自動販売機の設置面に固定する自動販売機の固定方法において、前記自動販売機の脚に係合するよう前記固定金具に設けられる係合部と、前記固定金具に形成されている前記アンカーの取付孔と、前記自動販売機の本体底面に穿設される挿入穴とを具備し、前記固定金具は前記係合部が前記脚と係合している状態で前記挿入穴と前記アンカーの取付孔と前記設置面に形成された固定用穴とが対向するよう配置されることを特徴とした自動販売機の固定装置。」（以下、「本願発明」という。）
　
２．引用例
（１）これに対して、原査定の拒絶の理由に引用された、実願昭５７−５６０１３号（実開昭５８−１５９０７６号）のマイクロフィルム（以下、「刊行物１」という。）には、図面と共に以下の事項が記載されている。
・「機体に設けた脚と、設置面に設けたボルトと、前記ボルトに一方を取付け、かつ他方に前記脚を押える一対の押え片を所定間隔を設けて形成した支持板と、この支持板の押え片間を連結する連結片を備えた自動販売機等の設置装置。」［実用新案登録請求の範囲（１）］
・「１７は一端部に平行して所定間隔を設けるように切欠１８して一対の押え片１７ａ，１７ｂを、他端部に取付孔１９をそれぞれ形成した支持板で、設置面１４より突出した取付ボルト２０に取付孔１９を挿入し、かつ、ナット２１を取付ボルト２０に螺合して固定される。」［明細書第３頁第１９行〜第４頁第４行］
・また、第１乃至５図には、自動販売機の機体１２の脚１３に支持板１７に設けられた切欠１８を係合させることにより自動販売機に支持板１７を取り付け、その状態で、支持板１７に形成されている取付ボルト２０の取付孔１９と設置面１４に形成された取付ボルト２０を固定する穴とが対向するように配置された設置装置が示されている。
　これらの記載事項によれば、刊行物１には、以下の発明（以下、「引用発明１」という。）が記載されているものと認められる。
「自動販売機に取り付けられる支持板１７を取付ボルト２０にて前記自動販売機の設置面１４に固定する自動販売機の設置方法において、前記自動販売機の脚１３に係合するよう前記支持板１７に設けられる切欠１８と、前記支持板１７に形成されている前記取付ボルト２０の取付孔１９とを具備し、前記支持板１７は前記切欠１８が前記脚１３と係合している状態で前記取付ボルト２０の取付孔１９と前記設置面１４に形成された取付ボルト２０を固定する穴とが対向するよう配置される自動販売機の設置装置。」
（２）同じく引用された、実願昭６２−８３５１９号（実開昭６３−１９５４８１号）のマイクロフィルム（以下、「刊行物２」という。）には、図面と共に以下の事項が記載されている。
・「自動販売機本体の底面の前部又は後部に複数個の孔を設けると共に、中央に孔を設けた固定具と、地面（コンクリート面）に埋設される埋込金具とを備え、前記固定具を介して埋込金具と底面とを固定したことを特徴とする自動販売機の固定装置。」［実用新案登録請求の範囲］
・「考案が解決しようとする問題点・・・自動販売機を設置し固定する作業において、その外側四隅近傍において固定板４，埋込金具３を用いて地面（コンクリート面）と固定を行う為、・・・既に設置してある他の自動販売機の横に並べたりあるいは他の自動販売機と自動販売機の間に並べて設置することが多くなってきている。又一般に自動販売機は壁際に設置してあるのでその後側においてはその設置作業、特に固定の作業が非常に困難であるという問題を有していた。」［明細書第３頁第６〜１８行］
・「上記問題点を解決する為に、本考案の自動販売機の固定装置は、自動販売機本体の底面の前部又は後部、あるいはその両方に複数個の孔を設けると共に、中央に孔を設けた固定具と、埋込金具という構成を備えたものである。」［同書第４頁第３〜７行］
・「本考案は上記した構成により、自動販売機の設置固定を自動販売機の外側ではなくその内側にて行うことができるようになるものである。」［同書第４頁第９〜１１行］
・また、第２図には、自動販売機本体の底面１ａに形成された孔１ｃに挿通された埋込金具３が自動販売機の下部の設置面の孔６に埋め込まれ、孔１ｃと孔６が対向するように配置された自動販売機の固定装置が示され、第３及び４図に、従来の自動販売機の固定装置として、埋込金具３を貫挿する孔４ａと自動販売機の調節脚２を嵌め込む切込み４ｂとを配設した固定板４を用いて自動販売機の外側の設置面の孔に埋込金具３を埋め込むようにした態様が示されている。
　
３．対比・判断
　本願発明と、上記引用発明１とを対比すると、後者の「支持板１７」が前者の「固定金具」に相当し、以下同様に、「取付ボルト２０」が「アンカー」に、「設置方法」が「固定方法」に、「切欠１８」が「係合部」に、「取付ボルト２０を固定する穴」が「固定用穴」に、「設置装置」が「固定装置」に、それぞれ相当している。
　したがって、両者は、
「自動販売機に取り付けられる固定金具をアンカーにて前記自動販売機の設置面に固定する自動販売機の固定方法において、前記自動販売機の脚に係合するよう前記固定金具に設けられる係合部と、前記固定金具に形成されている前記アンカーの取付孔とを具備し、前記固定金具は前記係合部が前記脚と係合している状態で前記アンカーの取付孔と前記設置面に形成された固定用穴とが対向するよう配置される自動販売機の固定装置」
である点で一致し、次の点で相違している。
　本願発明が、「自動販売機の本体底面に穿設される挿入穴」を具備し、該「挿入穴」とアンカーの取付孔と設置面に形成された固定用穴とが対向するよう配置されるのに対し、上記引用発明１は、かかる挿入穴及び該挿入穴との対向配置関係を備えていない点。
　
４．当審の判断
　そこで、上記の相違点について以下検討する。
　上記刊行物２には、従来自動販売機をその外側で設置面に固定していたことにより生じていた問題点を解決するために、自動販売機の本体底面に埋込金具３（本願発明の「アンカー」に相当。）を挿通する孔１ｃ（同「挿入穴」に相当。）を形成し、該孔１ｃと対向する設置面に形成した孔６（同「固定用穴」に相当。）に該埋込金具３を埋込んだ構成が示されている。
　ところで、本願発明において、「自動販売機の本体底面に穿設される挿入穴」を具備し、該「挿入穴」とアンカーの取付孔と設置面に形成された固定用穴とが対向するよう配置したことの技術的意義は、本願明細書の段落【００３１】及び【発明の効果】の記載から、固定金具を本体から突出しないように固定することにあると認められる。
　そして、固定金具を本体から突出しないように固定するとの課題は、一般の自動販売機に共通する課題であるから、上記引用発明１の固定金具を用いた自動販売機の固定装置において、かかる課題の下に上記刊行物２に記載の技術的事項を適用し、自動販売機の本体底面にアンカーが挿通する挿入穴を穿設すると共に、自動販売機の下部の設置面に設けられたアンカーの固定用穴を、該挿入穴と対向するよう配置することは、当業者が容易に想到し得る事項と認められる。また、その場合、アンカーの固定用穴と対向する固定金具の取付孔も、該挿入穴に対向するよう配置されることになるのは当然のことである。
　なお、本願発明の奏する効果は、各引用例に記載の事項から当業者が予測し得る範囲のものである。
　したがって、本願発明は、上記引用発明１における自動販売機の固定装置に上記刊行物２に記載された自動販売機の設置に係る技術的事項を適用することにより、当業者が容易に発明をすることができたものである。
　
５．むすび
　以上のとおり、本願発明は、上記刊行物１及び２に記載の事項に基いて当業者が容易に発明をすることができたものであるので、特許法第２９条第２項の規定により特許を受けることができない。
　よって、結論のとおり審決する。